(57)【要約】【課題】電池から排出される排出ガスのガス流路からのガス漏れが抑えられたバスバーを提供すること。【解決手段】本発明のバスバー３は、電池４の電極４０と接続されるとともに、電池４からの排出ガスを排出するガス流路２３をアッパーケース２２とともに区画するバスバー３であって、板状の導電性金属よりなり、電極４０と接続される導電部３０と、エラストマー又はゴム状弾性体よりなり、導電部３０の表面に一体にもうけられアッパーケース２２との間をシールするシール部３５と、を有することを特徴とする。【選択図】  図３
2016072040.tif 000002
【特許請求の範囲】
【請求項１】
電池（４）の電極（４０）と接続されるとともに、該電池からの排出ガスを排出するガス流路（２３）をアッパーケース（２２）とともに区画するバスバー（３）であって、
板状の導電性金属よりなり、該電極と接続される導電部（３０）と、
エラストマー又はゴム状弾性体よりなり、該導電部の表面に一体にもうけられ該アッパーケースとの間をシールするシール部（３５）と、
を有することを特徴とするバスバー。
【請求項２】
前記シール部（３５）は、前記導電部（３０，３１）の外周に形成される請求項１記載のバスバー。
【請求項３】
前記導電部（３０）は、前記バスバー（３）の外部端子（３２）を有し、
前記シール部（３５）は、該外部端子（３２）の表面を被覆する請求項１〜２のいずれか１項に記載のバスバー。
【請求項４】
前記バスバー（３）は、前記ガス流路（２３）に前記排出ガスが流れる貫通孔（３３）が開口し、
前記シール部（３５）は、該貫通孔（３３）を区画する前記導電部（３０）と前記電池（４）との間にも介在する請求項１〜３のいずれか１項に記載のバスバー。
【請求項５】
前記エラストマーは、ゴム，ＴＰＶ，ＴＰＯ，ＴＰＣより選択される請求項１〜４のいずれか１項に記載のバスバー。
【請求項６】
前記シール部（３５）は、
前記導電部（３０）の表面に位置する基部（３６）と、
該基部（３６）から突出するとともに、その先端が前記アッパーケース（２２）と当接するリップ部（３７）と、
を有する請求項１〜５のいずれか１項に記載のバスバー。
【請求項７】
前記リップ部（３７）は、前記ガス流路（２３）の内部と外部を結ぶ幅方向での長さが、基端部で長く、先端部で短い先細形状を有する請求項６記載のバスバー。
【請求項８】
前記リップ部（３７）は、その先端（３７Ａ）の前記幅方向の位置と前記基端部の前記ガス流路側の端部（３７Ｂ）との長さ（Ｌ１）が、該先端（３７Ａ）の該幅方向の位置と該基端部の前記ガス流路に背向する側の端部（３７Ｃ）との長さ（Ｌ２）が、Ｌ１＜Ｌ２の関係を満たす請求項７記載のバスバー。
【発明の詳細な説明】
【技術分野】
【０００１】
本発明は、バスバーに関し、詳しくは、電池の電極に接続されるバスバーに関する。
【背景技術】
【０００２】
近年、省資源や省エネルギーの観点から、繰り返し使用できるニッケル水素、ニッケルカドミウムやリチウムイオンなどの二次電池への需要が高まっている。中でもリチウムイオン二次電池は、軽量でありながら、起電力が高く、高エネルギー密度であるという特徴を有している。そのため、携帯電話やデジタルカメラ、ビデオカメラ、ノート型パソコンなどの様々な種類の携帯型電子機器や移動体通信機器の駆動用電源としての需要が拡大している。そして、自動車などの大電流が要求されるモータ駆動用の電源として、複数の電池を組み合わせてなる組電池の利用が進められている。
複数の電池から形成される組電池は、それぞれの電池を、直列及び／又は並列に接続して形成される。この組電池は、例えば、特許文献１に開示されている。
【０００３】
特許文献１には、複数の電池を筐体に収納し、接続体（配線基板）で電気的に接続した組電池を開示している。この組電池は、蓋体と配線基板との間に区画される排気室を介して、電池からの排出ガスを外部に排出する。そして、配線基板は、樹脂系の材料よりなる耐熱性部材と、耐熱性部材の電池と当接する表面に配された弾性部材と、の二層の積層構造を有し、弾性部材が電池と配線基板との間の気密性を確保する。
【先行技術文献】
【特許文献】
【０００４】
【特許文献１】特許第４８１５０２６８号
【発明の概要】
【発明が解決しようとする課題】
【０００５】
しかしながら、特許文献１に記載された組電池は、配線基板の電池との当接面に弾性部材を配して筐体側に排出ガスが流れること（ガス漏れ）を防止することは記載しているが、排出ガスの圧力が高い場合には、ガス漏れが生じるおそれがあった。特に、排気室に流れ込んだ排出ガスが排気室の外部に漏れることについては、何らの記載もされていない。
更に、従来の組電池の配線基板では、耐熱性部材と弾性部材との積層構造となっており、コスト高となるという問題もあった。
【０００６】
本発明は上記実情に鑑みてなされたものであり、電池から排出される排出ガスのガス流路（排気室）からのガス漏れが抑えられたバスバーを提供することを課題とする。
【課題を解決するための手段】
【０００７】
本発明は、上述の課題の少なくとも一部を解決するためになされたものであり、以下の形態又は適用例として実現することが可能である。
【０００８】
［適用例１］
適用例１は、電池の電極と接続されるとともに、電池からの排出ガスを排出するガス流路をアッパーケースとともに区画するバスバーであって、
板状の導電性金属よりなり、電極と接続される導電部と、
エラストマー又はゴム状弾性体よりなり、導電部の表面に一体にもうけられアッパーケースとの間をシールするシール部と、
を有することを特徴とするバスバーである。
【０００９】
適用例１に記載のバスバーは、電池の電極と接続されるバスバーが、電池からの排出ガスを排出するガス流路をアッパーケースとともに区画する。バスバーは、エラストマー又はゴム状弾性体よりなるシール部を有する。このバスバーに一体に形成されたシール部が、バスバーとアッパーケースとの間をシールすることで、ガス流路に電池からの排出ガスが流れ込んでも、ガス流路の外部（排出ガスの排出経路の外部）にガス漏れが生じなくなる。特に、エラストマー又はゴム状弾性体は、シール部自身の弾性変形を可能にするため、より高いシール性を確保できる。
【００１０】
また、シール部がエラストマー又はゴム状弾性体よりなることから、ガス流路を流れる排出ガスの熱によりシール部が弾性変形を生じ、その結果として、バスバーとアッパーケースとの界面を被覆することとなり、ガス漏れが生じなくなる。
更に、シール部を形成するエラストマー又はゴム状弾性体は、導電部と一体に成形を行うことが容易にでき、コストの上昇を抑えることができる。
【００１１】
［適用例２］
適用例１に記載のバスバーにおいて、シール部は、導電部の外周に形成される。
この構成によると、シール部が導電部の外周にもうけられることで、シール部が導電部のズレも抑えることができる。
【００１２】
［適用例３］
適用例１〜２のいずれかに記載のバスバーにおいて、導電部は、バスバーの外部端子を有し、シール部は、外部端子の表面を被覆する。
この構成によると、シール部が導電部の外部端子の表面も被覆することで、外部端子の界面でのガス漏れを抑えることができる。
【００１３】
［適用例４］
適用例１〜３のいずれかに記載のバスバーにおいて、バスバーは、ガス流路に排出ガスが流れる貫通孔が開口し、シール部は、貫通孔を区画する導電部と電池との間にも介在する。
【００１４】
この構成によると、シール部がバスバーとアッパーケースとの間のガス漏れだけでなく、バスバーの導電部と電池との間（電池からガス流路につながる貫通孔）でのガス漏れも抑えることができる。
【００１５】
［適用例５］
適用例１〜４のいずれかに記載のバスバーにおいて、エラストマーは、ゴム，ＴＰＶ（熱可塑性ゴム架橋体），ＴＰＯ（オレフィン系熱可塑性エラストマー），ＴＰＣ（エステル系熱可塑性エラストマー）より選択される。エラストマーが、これらの樹脂より選ばれることで、ガス漏れを抑えることができる。また、シール部の形成を容易に行うことができる。
【００１６】
［適用例６］
適用例１〜５のいずれかに記載のバスバーにおいて、シール部は、導電部の表面に位置する基部と、基部から突出するとともに、その先端がアッパーケースと当接するリップ部と、を有する。
この構成によると、シール部のリップ部がバスバーとアッパーケースの界面を被覆するように変形することで、界面でのガス漏れを抑えることができる。
【００１７】
［適用例７］
適用例６に記載のバスバーにおいて、リップ部は、ガス流路の内部と外部を結ぶ幅方向での長さが、基端部で長く、先端部で短い先細形状を有する。
この構成によると、リップ部は、突出する方向での幅が基端部で長くなって（リップ部の厚さが基端部で厚くなって）おり、基端部は先端と比較して変形しにくくなっている。すなわち、リップ部の先端部がアッパーケースに押しつけられた状態で基端部に排出ガスの圧力が加わっても、基端部が折れ曲がることが抑えられる。この結果、基端部が折れ曲がることで先端部がアッパーケースから剥離することが抑えられる。すなわち、ガス漏れを確実に抑えることができる。
【００１８】
［適用例８］
適用例６〜７のいずれかに記載のバスバーにおいて、リップ部は、その先端の幅方向の位置と基端部のガス流路側の端部との長さ（Ｌ１）が、先端の幅方向の位置と基端部のガス流路に背向する側の端部との長さ（Ｌ２）が、Ｌ１＜Ｌ２の関係を満たす。
【００１９】
この構成によると、アッパーケースをバスバーに押しつけるように組み付けるときに、リップ部のガス流路の外部側の表面がアッパーケースの内表面に当接する。そして、この状態でアッパーケースの組み付けがすすめられると、リップ部がガス流路の内部側に向かって傾斜した状態で組付けが完了する。この状態は、リップ部のガス流路の外部側の表面がアッパーケースの内表面に、リップ部の弾性力で付勢された状態であり先端部がアッパーケースから剥離することが抑えられる。すなわち、ガス漏れを確実に抑えることができる。
【図面の簡単な説明】
【００２０】
【図１】実施形態１の組電池の構成を模式的に示す概略断面図である。
【図２】実施形態１の組電池のバスバーと電池の構成を模式的に示す斜視図である。
【図３】実施形態１の組電池の構成を模式的に示す部分拡大断面図である。
【図４】実施形態１の組電池のバスバーのリップ部の構成を模式的に示す拡大断面図である。
【図５】実施形態１の組電池の構成を模式的に示す部分拡大断面図である。
【図６】厚さが略一定のリップ部の構成を模式的に示す拡大断面図である。
【図７】厚さが略一定のリップ部の変形を模式的に示す拡大断面図である。
【図８】実施形態２の組電池のバスバーのリップ部の構成を模式的に示す拡大断面図である。
【図９】実施形態３の組電池のバスバーのリップ部の構成を模式的に示す拡大断面図である。
【図１０】実施形態４の組電池のバスバーのリップ部の構成を模式的に示す拡大断面図である。
【図１１】実施形態５の組電池のバスバーのリップ部近傍の構成を模式的に示す拡大断面図である。
【発明を実施するための形態】
【００２１】
以下、本発明を組電池で具体化した実施形態について、図面を参照して具体的に説明する。なお、実施形態では、複数の電池を備える組電池に本発明を適用した例を示したが、一つの電池に適用した形態であってもよい。
【００２２】
［実施形態１］
（組電池の構成）
本形態の組電池１は、図１に概略断面図で示したように、ロアーケース２０及びアッパーケース２２から形成される電池ケース２と、バスバー３と、複数の電池４と、を有する。そして、本形態の組電池１は、ロアーケース２０とバスバー３とに区画された電池収納室２１と、バスバー３とアッパーケース２２とに区画されたガス流路２３と、を有する。本形態の組電池１は、複数の電池４を並列に接続している。
【００２３】
本形態では、複数の電池４を一列に並べた状態で組電池１を形成しているが、電池４の配列方法についてはこの形態に限定されるものでなく、複数の電池４を密な状態で配列しても良い。
【００２４】
（電池）
組電池１を構成する電池４は、軸方向の両端の端面に電極（正極，負極）がもうけられた柱状（円柱形状）を備えている。電池４は、その種類が限定されるものではないが、本形態では非水電解質二次電池であるリチウムイオン二次電池が採用される。電池４（リチウムイオン二次電池）は、一方の電極４０（本形態では正極。負極に排出ガスを排出する機構がある場合には、負極が該当する。）から、電池４の内部で発生した排出ガスが排出される。例えば、内部で発生した排出ガスを排出するベント機構を備えることで、電池４（リチウムイオン二次電池）内部で発生した排出ガスを排出する。
【００２５】
（ロアーケース）
ロアーケース２０は、複数の電池４を収納する略槽状を有する。ロアーケース２０は、複数の電池４を、その電極端子がバスバー３の下面に当接した状態（電池４がバスバー３に付勢された状態）で収納する。本形態では、電池４の内部で発生した排出ガスが排出される一方の電極４０（正極）がバスバー３の下面に当接する状態で収納される。
【００２６】
ロアーケース２０は、図示しない固定手段により複数の電池４をその位置のズレを抑えた状態で保持する（固定する）。この固定手段は、複数の電池４を所定の状態に保持できる手段であれば限定されるものではない。電池４が収納される所定の状態とは、図１に示されるように、槽状のロアーケース２０の深さ方向に電池４の軸方向が伸びる状態をあげることができる。
【００２７】
（バスバー）
バスバー３は、電池４の一方の電極４０（正極）に接続される。バスバー３は、その下面に複数の電池４の一方の電極４０（正極）が同時に当接する。なお、バスバー３の下面とは、各図（特に図３）での上下方向での下面であり、電池４との当接面を示す。以降、上下方向について、特に規定がない場合は、同様の方向が該当する。
【００２８】
バスバー３は、電池４の一方の電極４０（正極）に接続されるとともに電気伝導を担う導電部３０と、導電部３０（導電本体部３１）の外周であって電池ケース２との当接部に全周に亘って形成されたシール部３５と、を有する。
【００２９】
導電部３０は、板状の導電性金属よりなる。導電部３０を形成する導電性金属は、本形態では銅を用いたが、その材質が限定されるものではない。例えば、銅（Ｃｕ系合金），鉄（Ｆｅ系合金），アルミニウム（Ａｌ系合金）等の導電性金属をあげることができる。導電部３０を形成する導電性金属は、その表面にメッキ等の表面処理を施してもよい。本形態では、銅の表面にＮｉメッキを施している。
導電部３０を形成する金属板の厚さは、限定されるものではない。導電部３０（バスバー３）の形状を保持できる剛性を有する厚さとすることができる。
導電部３０は、電池ケース２の形状と略一致する導電本体部３１と、導電本体部３１から電池ケース２の外部に突出する電極端子部３２と、から形成される。
【００３０】
導電本体部３１は、図２〜図３に示したように、電池４から排出された排出ガスが通過する貫通孔３３が厚さ方向に貫通して形成されている。図２は、バスバー３と電池４との接続を示す斜視図である。図３は、図１中のＩＩＩ部の拡大断面図である。貫通孔３３は、円柱状の電池４の外径よりもわずかに小さい径の内径の略円形の開口形状を備えている。貫通孔３３は、外方から径方向内方（円心方向）に向かって伸びる接続体３４がもうけられている。接続体３４は、導電本体部３１と一体に形成され、電池４の一方の電極４０（正極）に当接して接続される。
【００３１】
接続体３４は、略円形の貫通孔３３の径方向内方に向かって伸びるとともに、その先端部近傍が電池４の一方の電極４０（正極）側に折り曲げられている。この折り曲げは、接続体３４の下面（電池４との対向面）が、バスバー３の下面よりも下方（ロアーケース２０側）に位置するようになされている。この折り曲げにより、接続体３４が一方の電極４０（正極）と当接できる。
【００３２】
接続体３４と一方の電極４０（正極）との当接部は、電気的な接続が確保されている状態であれば固定が行われていても固定されていなくても、いずれでもよい。折り曲げられた接続体３４自身の弾性により接続体３４が一方の電極４０（正極）に付勢された状態で当接していても、接続体３４と一方の電極４０（正極）とをハンダ付けや溶接で接合して当接していても、いずれでもよい。
【００３３】
電極端子部３２は、導電本体部３１と一体に形成され、その先端が電池ケース２の外部に突出する。電極端子部３２は、組電池１の電極端子（外部端子，正極端子）を形成する。
【００３４】
シール部３５は、導電部３０（導電本体部３１）の略外周に一体にもうけられ、アッパーケース２２及びロアーケース２０との間をシールする。シール部３５は、図３に示したように、導電本体部３１の端部の上面及び下面を同時に被覆するように形成される。
【００３５】
シール部３５は、導電本体部３１の端部を被覆する基部３６と、導電本体部３１の上面側の基部３６から突出するとともに、その先端がアッパーケース２２と当接するリップ部３７と、を有する。基部３６は、導電本体部３１の端部の上面を被覆する。基部３６は、導電本体部３１の端部の上面での表面が導電部３０（導電本体部３１）と平行に広がった形状をなすように形成されている。
【００３６】
リップ部３７は、図４に示したように、アッパーケース２２が組み付けられていない状態では、ガス流路２３の内部と外部を結ぶ幅方向での長さが、基端部で長く、先端部で短い先細形状に形成されている。なお、ガス流路２３の内部と外部を結ぶ幅方向とは、図３の左右方向（リップ部３７の厚さ方向）に相当する。
【００３７】
より具体的には、その先端３７Ａの幅方向の位置と基端部のガス流路側の端部３７Ｂとの長さ（Ｌ１）と、先端３７Ａの幅方向の位置と基端部のガス流路に背向する側の端部３７Ｃとの長さ（Ｌ２）とが、Ｌ１＜Ｌ２の関係を満たすように形成される。ここで、リップ部３７が各端部３７Ｂ，３７ＣがＲ形状をなすように丸められた形状の場合には、リップ部３７及び基部３６の概略形状に沿った仮想線を引き、当該仮想線から各端部３７Ｂ，３７Ｃを求める。
【００３８】
シール部３５は、導電本体部３１の下面の全面（貫通孔３３及び接続体３４を除く）を被覆する下面シール部３８を有する。下面シール部３８は、導電本体部３１の端部を被覆する基部３６と一体に、導電本体部３１の下面全体を被覆するように形成されている。
【００３９】
下面シール部３８は、電池４がバスバー３に付勢された状態（組電池１が組み立てられた状態）では、電池４の一方の電極４０（正極）である端面の周縁部が密着して当接して電池４と導電部３０（導電本体部３１）との間に介在して、電池４から排出される排出ガスが電池収納室２１へ漏れ出すことを防止する。
【００４０】
シール部３５は、図５に示したように、電極端子部３２の表面も被覆する。電極端子部３２の被覆は、電極端子部３２が電池ケース２を貫通する部分で上面及び下面を含む全周に亘って行われる。図５は、図１中のＶ部の拡大断面図である。
【００４１】
シール部３５は、エラストマー（又はゴム状弾性体）により形成される。エラストマー（又はゴム状弾性体）の具体的な材質は、限定されるものではない。例えば、熱可塑性エラストマー，ゴムをあげることができる。熱可塑性エラストマーは、ＪＩＳ  Ｋ６４１８に記載の熱可塑性エラストマーを採用でき、これらのうち、ＴＰＣ，ＴＰＯ，ＴＰＶが好ましい。ゴムとしては、ＥＰＤＭ，シリコーンゴム，ＦＫＭ，ＡＣＭが好ましい。なお、本形態において、エラストマー（又はゴム状弾性体）は、これらのエラストマー（ゴム）より選択される１種又は２種以上から形成できる。本形態では、ＴＰＣが用いられる。
【００４２】
ＴＰＣは、曲げ弾性率が２０ＭＰａ〜１３００ＭＰａ，降伏伸びが１５％〜５０％であることが好ましい。
【００４３】
（アッパーケース）
アッパーケース２２は、バスバー３との間でガス流路２３を区画する。アッパーケース２２は、ガス流路２３を区画するために、上方側（電池４の軸方向であって、バスバー３から離反する方向）に凸となる蓋形状を有する。
【００４４】
アッパーケース２２は、バスバー３を介してロアーケース２０との当接部（図示せず）を有する基板部２２０と、バスバー３との間に間隔を隔ててもうけられた天井部２２１と、基板部２２０と天井部２２１とを接続する傾斜した内周面をもつ傾斜部２２２と、を有する。
基板部２２０は、ロアーケース２０との間で電池ケース２を形成可能な形状（ロアーケース２０の略槽状の開口を塞ぐことができる外形形状）に形成されている。
【００４５】
傾斜部２２２は、組電池１を形成したときに、シール部３５のリップ部３７が当接する位置に形成されている。また、傾斜部２２２の傾斜角については限定されるものではない。リップ部３７が当接したときに、図３に示したようにシール可能な角度であればよい。
【００４６】
アッパーケース２２は、電池４から排出された排出ガスがガス流路２３を通って排出されるガス排出口２４が、天井部２２１に開口している。本形態はガス排出口２４が、天井部２２１の中央部に開口しているが、この開口位置は限定されるものではない。例えば、傾斜部２２２に開口していてもよい。ガス排出口２４が傾斜部２２２に開口する場合には、ガス漏れを防ぐために、傾斜部２２２とリップ部３７との当接部よりも内方側であることが好ましい。
ガス排出口２４の開口数についても限定されるものではない。すなわち、アッパーケース２２は、複数のガス排出口が開口していてもよい。
【００４７】
（組電池のその他の構成）
本形態の組電池１は、図示しない締結手段により、ロアーケース２０及びアッパーケース２２に、両ケース２０，２２が閉じる方向の応力が付与されている。両ケース２０，２２が閉じる方向の応力が付与されることで、アッパーケース２２とバスバー３（シール部３５）とが密着してガス漏れが抑えられる。
【００４８】
電池ケース２は、その材質が限定されるものではなく、両ケース２０，２２が閉じる方向に付与された応力による損傷を生じない材質であればよい。例えば、硬質樹脂，金属等の材質をあげることができる。
【００４９】
本形態の組電池１は、複数の電池４の他方の電極４１（負極）も、図示しない負極バスバーで並列の状態で接続される。負極バスバーは、電池ケース２の外部に突出する組電池１の負極端子を有する。
【００５０】
（本形態の作用効果）
本形態の組電池１において、シール部３５のリップ部３７は、図４に示したようにＬ１＜Ｌ２の関係を満たすように形成されている。そして、アッパーケース２２を組み付けると、最初に、リップ部３７の外方側の表面３７ａが傾斜部２２２の内表面に当接する。
【００５１】
そして、アッパーケース２２を更にロアーケース２０に近接させていくと、リップ部３７の外方側の表面３７ａが傾斜部２２２の内表面にガイドされて、リップ部３７が内方側に傾斜する。先端３７Ａが内方側に傾く（変形する）。
【００５２】
アッパーケース２２を更にロアーケース２０に近接させて当接させると、図３に示したように、リップ部３７の外方側の表面３７ａが傾斜部２２２の内表面に当接した状態で密着する。
【００５３】
リップ部３７は、先端部の厚さが薄く、基端部の厚さが厚くなっている。この形状によると、リップ部３７の先端部は変形しやすく（傾斜しやすく）、基端部は変形しにくく（傾斜しにくく）なっている。このリップ部３７の形状による作用により、リップ部３７の外方側の表面３７ａが傾斜部２２２の内表面に押しつけられ、ガス流路２３からのガス漏れを抑えることができる。
【００５４】
また、ガス流路２３に電池４から排出された排出ガスが充填したときに、排出ガスがリップ部３７に対して外方側に向かう応力を付与する。この応力に対して、リップ部３７の基端部が厚いことで、基端部での変形が抑えられる。その結果、リップ部３７が内方側に折れ曲がることが抑えられ、ガス流路２３からのガス漏れを抑えることができる。
【００５５】
対して、図６に示したように、リップ部３７の厚さが先端部と基端部とで略一定の場合には、基端部が薄いため、リップ部３７の外方側の表面３７ａが傾斜部２２２の内表面に押しつけられる力が小さくなる。このリップ部３７は、ガス流路２３に電池４から排出された排出ガスが充填したときに、排出ガスがリップ部３７の基端部に応力を付与する。このリップ部３７は基端部が薄いため基端部で変形を生じやすく、図７に示したように、リップ部３７が折れ曲がるように変形する。そうすると、リップ部３７の外方側の表面３７ａと傾斜部２２２の内表面との間に隙間が生じ、ガス流路２３からのガス漏れを抑えることが難しくなる。
【００５６】
更に、リップ部３７がＬ１＜Ｌ２の関係を満たすことで、アッパーケース２２を組み付けるときに、リップ部３７が傾斜部２２２の内表面にガイドされて、リップ部３７が内方側に傾斜するようになる。すなわち、リップ部３７がＬ１＜Ｌ２の関係を満たすことで、図３に示した状態で、ガス漏れを抑えることができる。
【００５７】
以上に詳述したように、本形態の組電池１は、シール部３５のリップ部３７が所定の形状を有することで、ガス流路２３からのガス漏れを確実に抑えることができる。
【００５８】
本形態の組電池１は、シール部３５がＴＰＣ（熱可塑性弾性樹脂）よりなる。ＴＰＣは、弾性変形が可能であり、より高い耐ガス漏れ性（シール性）を確保できる。また、ガス流路２３に充填した排出ガスが高圧の場合、その圧力によりリップ部３７が弾性変形を生じ、その結果として、バスバー３（導電部３０）とアッパーケースとの界面をふさぐ（被覆する）こととなり、ガス漏れが生じなくなる。更に、ＴＰＣは、インサート成形（射出成形）が可能な樹脂（エラストマー）であり、導電部３０と一体に成形を行うことが容易にでき、コストの上昇を抑えることができる。また、ＴＰＣは、インサート成形で成形を行うと、成形後に収縮する。この収縮により、シール部３５と導電部３０との密着性が向上する。
【００５９】
本形態の組電池１では、シール部３５が、導電部３０（導電本体部３１）の外周に全周にわたって形成されており、アッパーケース２２との界面の全周に亘ってより高い耐ガス漏れ性（シール性）を確保できる。
【００６０】
本形態の組電池１では、シール部３５がＴＰＣよりなることで、導電部３０の外周の全周に亘って形成されても、シール部３５の弾性が導電部３０に加える応力が小さく、その結果としての導電部３０の変形及び変形に伴うズレも抑えることができる。
【００６１】
本形態の組電池１では、シール部３５が導電部３０の電極端子部３２（組電池１の電極端子（正極端子））も被覆することで、電極端子部３２の界面でのガス漏れを抑えることができる。
【００６２】
本形態の組電池１では、シール部３５（下面シール部３８）が、電池４と導電部３０（導電本体部３１）との間に介在して、電池４から排出される排出ガスが電池収納室２１へ漏れ出すことを防止する。
【００６３】
［実施形態２］
本形態は、リップ部３７の形状（厚さ方向の断面形状）が異なること以外は、実施形態１と同様な組電池である。本形態のリップ部３７を、図８に示す。
図８に示したように、本形態におけるリップ部３７は、基端部のガス流路側の端部３７Ｂと先端３７Ａとの幅方向の位置が同じとなるように形成されている。すなわち、Ｌ１＝０の状態で形成されている。
本形態でも、実施形態１と同様の効果が発揮される。
【００６４】
［実施形態３］
本形態は、リップ部３７の形状（厚さ方向の断面形状）が異なること以外は、実施形態１と同様な組電池である。本形態のリップ部３７を、図９に示す。
図９に示したように、本形態におけるリップ部３７は、基端部のガス流路側の端部３７Ｂが、先端３７Ａよりも、幅方向の位置で外方側に位置するように形成されている。すなわち、Ｌ１＜０の状態で形成されている。なお、Ｌ１の絶対値は、Ｌ２よりも小さい。
本形態でも、実施形態１と同様の効果が発揮される。
【００６５】
［実施形態４］
本形態は、リップ部３７の形状（厚さ方向の断面形状）が異なること以外は、実施形態２と同様な組電池である。本形態のリップ部３７を、図１０に示す。
図１０に示したように、本形態におけるリップ部３７は、厚さが２段の階段状に変化する。
本形態でも、実施形態２と同様の効果が発揮される。
【００６６】
［実施形態５］
本形態は、導電本体部３１の上面の全面（貫通孔３３及び接続体３４を除く）に上面シール部３９を有すること以外は、実施形態１と同様な組電池である。本形態を、図３の時と同様に、リップ部３７近傍の断面図で図１１に示す。
【００６７】
本形態では、導電部３０（導電本体部３１）に通孔を開口しておき、通孔の内部をＴＰＣが充填している。通孔に充填したＴＰＣは、上面シール部３９と下面シール部３８と一体に形成される。これにより、両シール部３８，３９と導電部３０（導電本体部３１）の密着性の低下が抑えられる。
その他、本形態では、実施形態１と同様の効果が発揮される。
【符号の説明】
【００６８】
１：組電池
２：電池ケース
２０：ロアーケース          ２１：電池収納室
２２：アッパーケース        ２３：ガス流路
２４：ガス排出口
３：バスバー
３０：導電部                ３１：導電本体部
３２：電極端子部            ３３：貫通孔
３４：接続体
３５：シール部              ３６：基部
３７：リップ部              ３８：下面シール部
３９：上面シール部
４：電池                    ４０：一方の電極（正極）
４１：他方の電極（負極）
【図１】
2016072040.tif 000003
【図２】
2016072040.tif 000004
【図３】
2016072040.tif 000005
【図４】
2016072040.tif 000006
【図５】
2016072040.tif 000007
【図６】
2016072040.tif 000008
【図７】
2016072040.tif 000009
【図８】
2016072040.tif 000010
【図９】
2016072040.tif 000011
【図１０】
2016072040.tif 000012
【図１１】
2016072040.tif 000013